【手続補正書】
【提出日】平成17年8月9日(2005.8.9)
【手続補正１】
【補正対象書類名】明細書
【補正対象項目名】特許請求の範囲
【補正方法】変更
【補正の内容】
【特許請求の範囲】
【請求項１】
同一のＬＡＮ（ローカルエリアネットワーク）に設置された複数のＬＡＮ電話機と、該ＬＡＮ電話機を制御するＰＢＸ（構内交換機）とを有するＬＡＮ電話システムにおいて、
前記ＰＢＸから発信音／呼出音／話中音／保留音等のトーンやアナウンスの接続を指示された前記ＬＡＮ電話機は、音声サーバから提供されるトーンやアナウンスの音声パケットから音声を再生することを特徴とするＬＡＮ電話システム。
【請求項２】
前記音声サーバは、前記ＬＡＮ電話機と同一のセグメント（ブロードキャストパケットが到達する範囲）に設置され、前記ＰＢＸが指示するトーンやアナウンスの音声パケットを記憶する記憶手段と、前記音声パケットを前記ＬＡＮに送信する送信手段とを備えることを特徴とする請求項１に記載のＬＡＮ電話システム。
【請求項３】
前記ＬＡＮ電話機は、前記音声サーバに対して音声パケットの送信要求パケットを送信する手段と、前記音声サーバからの音声パケットを受信する手段と、前記音声パケットから音声を再生する手段とを備えることを特徴とする請求項１又は２に記載のＬＡＮ電話システム。
【請求項４】
前記ＬＡＮ電話機は、前記ＰＢＸからトーン又はアナウンスの切断を指示された場合に、前記音声サーバから送信される音声パケットの再生を停止する手段と、前記音声サーバからの音声パケットを破棄する手段とを備えることを特徴とする請求項１、２又は３に記載のＬＡＮ電話システム。
【請求項５】
前記音声サーバは、前記ＬＡＮ電話機からトーンやアナウンスの音声パケットの送信要求パケットを受信すると、予め規定した一定時間、音声パケットを送信し、前記音声パケット送信中に音声パケットの送信要求を受信した場合には、前記音声パケットの送信を予め規定した時間、延長することを特徴とする請求項１乃至４の何れかに記載のＬＡＮ電話システム。
【請求項６】
前記ＬＡＮ電話機から前記音声サーバに送信するトーンやアナウンスの音声パケットの送信要求パケットおよび前記音声サーバから送信される音声パケットは共にブロードキャストパケットで送信されることを特徴とする請求項１乃至５の何れかに記載のＬＡＮ電話システム。
【請求項７】
前記音声サーバに対してトーンやアナウンスの音声パケットの送信要求パケットを送信した前記ＬＡＮ電話機は、他のＬＡＮ電話機から音声パケットの送信要求パケットを予め規定した一定時間監視する手段と、前記一定時間監視後に前記音声パケットの受信を延長したい場合に、監視中に自分が送信要求したのと同じ音声パケットの送信要求パケットを発見できなければ、再度自分から音声パケットの送信要求パケットを送信し、発見できれば、前記音声パケットの送信要求パケットを送信することなく継続して前記音声パケットを受信することを特徴とする請求項１乃至６の何れかに記載のＬＡＮ電話システム。
【請求項８】
前記ＬＡＮ電話機は、前記ＰＢＸから指示されたトーンやアナウンスの音声種別を保持する記憶手段と、他のＬＡＮ電話機からの音声パケットの送信要求パケットを監視した結果を保持する記憶手段と、監視時間を保持する記憶手段とを備えることを特徴とする請求項１乃至７の何れかに記載のＬＡＮ電話システム。
【請求項９】
前記音声サーバは、トーンやアナウンスの音声種別毎に送信状態を保持する手段と、前記音声種別毎に音声パケットの送信中に送信要求パケットを受信したことを記憶する手段と、前記音声種別毎に音声パケットを送出する時間を保持する記憶手段とを備えることを特徴とする請求項１乃至８の何れかに記載のＬＡＮ電話システム。
【請求項１０】
前記ＬＡＮ電話機は、前記ＰＢＸ自身又は前記ＰＢＸとの通信の停止又は異常を感知する手段と、前記ＰＢＸ自身又は前記ＰＢＸとの通信の停止又は異常を感知し且つ受話器がオフフックされた場合に、前記音声サーバへ緊急アナウンス用音声パケットの送信要求パケットを送信し、前記音声サーバからの音声パケットを再生することを特徴とする請求項１乃至９の何れかに記載のＬＡＮ電話システム。
【手続補正２】
【補正対象書類名】明細書
【補正対象項目名】０００１
【補正方法】変更
【補正の内容】
【０００１】
【発明の属する技術分野】
本発明はＬＡＮ(ローカルエリアネットワーク)電話システムに関し、特に電話機を使用する利用者（ユーザ）が、受話器から聞こえる発信音／呼出音／話中音／保留音等のトーンやアナウンス等の交換機からの音声を送出するＬＡＮ電話システムに関する。
【手続補正３】
【補正対象書類名】明細書
【補正対象項目名】０００２
【補正方法】変更
【補正の内容】
【０００２】
【従来の技術】
図１２は、時分割スイッチ（以下、ＴＤＳＷという）を使用する従来のＰＢＸ（構内交換機）におけるトーンおよびアナウンスの送出方式の構成を示すブロック図である。このＰＢＸ２００は、ＣＰＵ（中央処理装置）２０１の制御下で動作し、ＣＰＵ２０１が使用するメモリ２０２と、ＴＤＳＷ２０６、トーンやアナウンスのタイムスロット２０９、システム固定音源であるＤＴＧ（デジタルトーン音源）２０７、外部音源をトーンやアナウンスとして取り込むアナウンスメントトランク２１０、外部音源をタイムスロットに接続するＳＰＭ（音声パスモジュール）２０８、電話機２１１と電話機２１１を収容するライン回路２０５、トランク２０４、レジスタ２０３で構成されている。ＤＴＧ２０７やアナウンスメントトランク２１０の音源は、常にタイムスロット２０９に対して音声を送出し、電話機２０１はトーンやアナウンス毎に予め指定されるタイムスロット２０９に接続し、音声を聴取する。
【手続補正４】
【補正対象書類名】明細書
【補正対象項目名】００２０
【補正方法】変更
【補正の内容】
【００２０】
（８）前記ＬＡＮ電話機は、前記ＰＢＸから指示されたトーンやアナウンスの音声種別を保持する記憶手段と、他のＬＡＮ電話機からの音声パケットの送信要求パケットを監視した結果を保持する記憶手段と、監視時間を保持する記憶手段とを備える上記（１）乃至（７）の何れかに記載のＬＡＮ電話システム。
【手続補正５】
【補正対象書類名】明細書
【補正対象項目名】００２５
【補正方法】変更
【補正の内容】
【００２５】
次に、図２は、図１に示すＬＡＮ電話システム１０におけるＰＢＸ１００の内部構成を示すブロック図である。このＰＢＸ１００は、ＣＰＵ（中央処理装置）３０１、メモリ３０２およびＬＡＮインタフェース３０３により構成される。ここで、ＣＰＵ３０１は、プログラム制御により内線であるＬＡＮ電話機１０２等の呼状態を制御する。メモリ３０２は、ＣＰＵ３０１が使用するプログラム等を記憶する。ＬＡＮインタフェース３０３は、内線であるＬＡＮ電話機１０２等と呼制御メッセージを通信する。
【手続補正６】
【補正対象書類名】明細書
【補正対象項目名】００２９
【補正方法】変更
【補正の内容】
【００２９】
次に、図５（Ａ）〜（Ｃ）を参照して各種管理テーブルの具体例を説明する。図５（Ａ）は、ＬＡＮ電話機１０２等が記憶するトーンやアナウンスの「音声パケット受信管理テーブル」を示す。この「音声パケット受信管理テーブル」には、ＬＡＮ電話機１０２を制御するＰＢＸ１００のＩＰアドレスを記憶する「ＰＢＸのＩＰアドレス」、ＬＡＮ電話機１０２等がＰＢＸ１００から指示されたトーンやアナウンスの音声種別を記憶する「音声種別」、他ＬＡＮ電話機からの音声パケットの送信要求パケットを発見したことを記憶する「送信要求パケット」、監視する時間を記憶する「監視タイマ」およびＰＢＸから応答がない場合の再送回数を規定する「ＰＢＸへの再送回数」で構成される。「監視タイマ」の初期値は、トーンやアナウンスが途切れることなく送出するため、音声サーバ１０１の音声パケットの送信タイマより十分小さい値が予め規定されている。
【手続補正７】
【補正対象書類名】明細書
【補正対象項目名】００３６
【補正方法】変更
【補正の内容】
【００３６】
次に、内線１０２が監視タイマを減算し「０」となると、「音声パケット受信管理テーブル」の送信要求パケットを確認する。「なし」の場合には、音声サーバ１０１に対し、「発信音送信要求」を再送信する（ステップ４１３）と同時に、監視タイマに初期値を再設定し減算を開始する。これを内線１０２の状態が変化するまで継続する。
【手続補正８】
【補正対象書類名】明細書
【補正対象項目名】００３９
【補正方法】変更
【補正の内容】
【００３９】
次に、内線１０２が監視タイマを減算し「０」となると、「音声パケット受信管理テーブル」の送信要求パケットを確認する。「なし」の場合には、音声サーバ１０１に対し、「発信音送信要求」を再送信する（ステップ４１８）と同時に、監視タイマに初期値を再設定し減算を開始する。これを内線１０２の状態が変化するまで継続する。
【手続補正９】
【補正対象書類名】明細書
【補正対象項目名】００４２
【補正方法】変更
【補正の内容】
【００４２】
この状態において、監視タイマ値を減算する周期的なプログラムが起動すると、最初に「音声パケット受信管理テーブル」の音声種別が「なし」か否かを判定する（ステップ５００）。音声種別「なし」の状態であれば、プログラムを終了する。それ以外の状態であれば、監視タイマの減算を行う（ステップ５０１）。次に、監視タイマを「０」と比較する（ステップ５０２）。「０」でなければ、プログラムを終了し、「０」であれば、送信要求パケットの判定を行う（ステップ５０３）。判定の結果「なし」であれば、直ちに音声サーバ１０１に対して呼出音送信要求パケットを送信する（ステップ５０４）。送信要求パケットを「なし」に（ステップ５０５）、監視タイマに予め規定される「初期値」に変更する（ステップ５０６）。一方、送信要求パケットが「あり」であれば、送信要求パケットを「なし」にし（ステップ５０５）、監視タイマ値に予め規定される「初期値」を書き込んで終了する（ステップ５０６）。
【手続補正１０】
【補正対象書類名】明細書
【補正対象項目名】００４７
【補正方法】変更
【補正の内容】
【００４７】
次に、内線１０２が監視タイマを減算し「０」となると、「音声パケット受信管理テーブル」の送信要求パケットを確認する。「なし」の場合には、音声サーバ１０１に対し、「緊急アナウンスの音声パケット送信要求」を再度送信する。これと同時に、音声要求パケットに「なし」および監視タイマに予め規定されている「初期値」を再設定し減算を開始する。これを内線１０２がオンフックするまで継続する（ステップ４３５）。
【手続補正１１】
【補正対象書類名】図面
【補正対象項目名】図５
【補正方法】変更
【補正の内容】
【図５】
2004112651.tif 000001
【手続補正１２】
【補正対象書類名】図面
【補正対象項目名】図９
【補正方法】変更
【補正の内容】
【図９】
2004112651.tif 000002
【手続補正１３】
【補正対象書類名】明細書
【補正対象項目名】図１２
【補正方法】変更
【補正の内容】
【図１２】
2004112651.tif 000003